(57)【要約】【課題】コネクタハウジングと、周方向の一部に切欠きが形成された略円筒形または略楕円筒形をなす壁部を備えて前記コネクタハウジングに取付けられる電線カバーと、を備えたコネクタにおいて、前記電線カバーの外れを防止する。【解決手段】  電線カバーには、壁部において切欠きを画成する両側縁の近傍に、当該両側縁同士が離隔する方向に対して垂直をなす第１補助被係止面を備えた補助被係止部を形成する一方、コネクタハウジングには、前記切欠きの逆側から前記第１補助被係止面に係止する第１補助係止面を備えて、前記補助被係止部と係合する補助係止部を形成する。【選択図】図１
2016219308.tif 000002
【特許請求の範囲】
【請求項１】
断面視略円形または略楕円形をなす外周面を備えて、端子に接続された電線が後方に引き出される電線引出部と、
前記外周面に突設された係止部と、を有するコネクタハウジングと、
周方向の一部に切欠きが形成された略円筒形または略楕円筒形をなす壁部と、前記壁部に形成されて前記係止部と係合される被係止部と、を備えて前記電線引出部の外周側に嵌合される嵌合部、を有する電線カバーと、
を備えたコネクタにおいて、
前記電線カバーには、前記壁部において前記切欠きを画成する両側縁の近傍に、前記両側縁同士が離隔する方向に対して垂直をなす第１補助被係止面を備えた補助被係止部が形成されるとともに、前記コネクタハウジングには、前記切欠きの逆側から前記第１補助被係止面に係止する第１補助係止面を備えて、前記補助被係止部と係合する補助係止部が形成されているコネクタ。
【請求項２】
前記両側縁が、互いに平行をなすように設けられており、
前記第１補助被係止面が、前記切欠きの前記両側縁同士を結んだ平面に対して垂直をなし、かつ前記壁部の軸線に平行となるように設けられている請求項１に記載のコネクタ。
【請求項３】
前記補助被係止部が、前記壁部の軸線に対して垂直をなす第２補助被係止面を、前記補助係止部が、前記第２補助被係止面に係止する第２補助被係止面を、さらに備えている請求項１または請求項２に記載のコネクタ。
【請求項４】
前記補助係止部および補助被係止部のうち、いずれか一方が係止爪を有し、同他方が前記係止爪を挿入係止可能な係止孔を有している請求項３に記載のコネクタ。
【請求項５】
前記電線カバーが、前記嵌合部の後面側に、前記電線が引き出される引出方向とは異なる導出方向に延出するように連設されて、前記電線を屈曲させつつ導出する導出部を有し、
前記切欠きが、前記嵌合部の軸方向および前記導出部の延出方向の全長に亘って連通するように設けられている請求項１から請求項４のいずれか一項に記載のコネクタ。
【発明の詳細な説明】
【技術分野】
【０００１】
本明細書によって開示される技術は、コネクタハウジングおよび電線カバーを備えたコネクタに関する。
【背景技術】
【０００２】
従来、前面を相手側との嵌合面とし、内部に収容した端子と接続された電線を後面から引出した構造のコネクタハウジングと、その後面に取り付けられる電線カバーと、を備えたコネクタが知られている。電線カバーは、コネクタハウジング後面から引き出される電線を保護したり、電線の導出方向を規制したりすることを目的として取り付けられるものである。
このような電線カバーを備えたコネクタとして、例えば特開２０１３−１４０６７４号公報（下記特許文献１）に記載のものが知られている。ここに開示された電線カバーは、電線の引出方向に二分割された本体カバーと蓋体カバーからなり、コネクタハウジングの後面に電線の引出部を包囲するように設けられた断面円形または楕円形のカバー装着部を、本体カバーおよび蓋体カバーで挟み付けるようにして、コネクタハウジングに取り付けられる。
【先行技術文献】
【特許文献】
【０００３】
【特許文献１】特開２０１３−１４０６７４号公報
【発明の概要】
【発明が解決しようとする課題】
【０００４】
しかしながら、上記のようなコネクタでは、本体カバーをコネクタハウジングに仮装着した後、蓋体カバーで挟み込んで固定するなど、コネクタハウジングへの電線カバーの取付作業が煩雑となる。また、電線カバー取付箇所の周囲に蓋体カバーを回動させるためのスペースを確保することも必要である。そこで、コネクタハウジングへの取付作業性を改善した電線カバーとして、図１４に記載のようなものが考えられる。
【０００５】
図１４に記載の電線カバー１０６は、前方に開口し、後方に向かって縮径する有底の略円筒状に形成された壁部１６２を備える嵌合部１６１と、嵌合部１６１の後面から所定の方向に延びるように連設された導出壁１７２を備える導出部１７１と、を有する。また、壁部１６２の導出部１７１側の側面には、軸方向の全長に亘って切欠き１６５が形成され、導出部１７１前面の開口に連通されている。
壁部１６２の前端縁１６３からは、計４片の被係止片１８１がほぼ等間隔をあけるようにして離間的に前方に向けて突設されている。被係止片１８１は、前端縁１６３を基端として片持ち状に形成されることで径方向に撓み変形可能とされており、前端縁１６３の周面に沿って湾曲した形状をなしている。被係止片１８１の前寄りの部分には、略矩形状の係止孔１８２が形成され、係止孔１８２の前縁１８３が外周方向に突出されている。
【０００６】
このような電線カバー１０６が取り付けられるコネクタハウジング（図示しない）は、断面視略円形または略楕円形をなす外周面を備えて、端子に接続された電線が後面側に引き出される電線引出部と、前記電線引出部の外周面に突設された４つの係止部と、を後面に備えている。前記係止部には、それぞれ電線カバー１０６の被係止片１８１の係止孔１８２に挿入係止される係止爪が突設されている。
【０００７】
電線カバー１０６のコネクタハウジングへの取付けは、以下のように行われる。すなわち、コネクタハウジングの電線引出部の外周面側に、電線カバー１０６の壁部１６２の内周を嵌合させつつ後方から押し付ける。これにより、被係止片１８１の前縁１８３が電線引出部の外周面側に突設された係止爪に乗り上げて、被係止片１８１が外周方向に撓み変形されつつ押し込まれる。前縁１８３が係止爪を乗り越えて被係止片１８１の撓み変形が回復されると、係止孔１８２内に電線引出部外周に形成された係止爪が嵌め込まれ、係止爪の前面が前縁１８３の後端面１８３Ｂに係止されることで、電線カバー１０６の後方への移動が規制され、嵌合がロックされるようになっている。
次いで、コネクタハウジングの後面から引き出されている電線を、切欠き１６５から嵌合部１６１内部に押し込んで、導出部１７１の導出壁１７２の前面に沿わせるように、図示しないタイバンド等で固定する。これにより、電線を保護しつつ、引出方向とは異なる導出方向へと導出できる。
【０００８】
しかしながら、上記のようなコネクタハウジングおよび電線カバー１０６を備えたコネクタでは、導出された電線が引っ張られるなどして、係止爪と係止孔１８２との間の係合だけでは支えきれないような応力が電線カバー１０６に働いた場合、壁部１６２、ひいては被係止片１８１が拡径するように変形し、この変形量が係止孔１８２と係止爪との係り代を上回ると、電線カバー１０６がコネクタハウジングから外れる虞があった。
上記事情に鑑み、本明細書は、コネクタハウジングと、コネクタハウジングの後面に取付けられる電線カバーと、を備えたコネクタであって、電線カバーの外れが防止されたコネクタを開示することを目的とする。
【課題を解決するための手段】
【０００９】
本明細書によって開示されるコネクタは、断面視略円形または略楕円形をなす外周面を備えて端子に接続された電線が後方に引き出される電線引出部と、前記外周面に突設された係止部と、を有するコネクタハウジング、並びに、周方向の一部に切欠きが形成された略円筒形または略楕円筒形をなす壁部と、前記壁部に形成されて前記係止部と係合される被係止部と、を備えて前記電線引出部の外周側に嵌合される嵌合部、を有する電線カバー、を備えるものである。
さらに、前記カバーには、前記壁部において前記切欠きを画成する両側縁の近傍に、前記両側縁同士が離隔する方向に対して垂直をなす第１補助被係止面を備えた補助被係止部が形成されるとともに、前記コネクタハウジングには、前記切欠きの逆側から前記第１補助被係止面に係止する第１補助係止面を備えて、前記補助被係止部と係合する補助係止部が形成されている構成とした。
【００１０】
このような構成によれば、電線カバーに、係止部および被係止部の係合だけでは支えきれないような力が働き、電線カバーの壁部を拡径させようとする変形応力が生じた場合であっても、このような変形応力を、第１補助被係止面に係止する第１補助係止面によって受け止めることができる。よって、切欠きの側縁同士が互いに離隔する方向への変形が規制され、嵌合部の変形が抑制されて、電線カバーがコネクタハウジングから外れることを防止できる。
【００１１】
本明細書によって開示されるコネクタは、前記両側縁が、互いに平行をなすように設けられており、前記第１補助被係止被係止面が、前記切欠きの前記両側縁同士を結んだ平面に対して垂直をなし、かつ前記壁部の軸線に平行となるように設けられている構成としてもよい。
【００１２】
このような構成によれば、互いに平行をなす両側縁によって切欠きが画成された壁部を有する電線カバーにおいて、第１補助被係止面が、両側縁が離隔する方向に正対するように配される。よって、前述のような変形応力を確実に受け止めることができて、切欠きの側縁同士が互いに離隔する方向への変形が規制され、嵌合部の変形が抑制されて、電線カバーがコネクタハウジングから外れることを防止できる。
【００１３】
本明細書によって開示されるコネクタは、前記補助被係止部が、前記壁部の軸線に対して垂直をなす第２補助被係止面を、前記補助係止部が、前記第２補助被係止面に係止する第２補助係止面を、さらに備えている構成としてもよい。
【００１４】
このような構成によれば、電線カバーに、コネクタハウジングから取り外そうとする力が働き、壁部の軸線に沿った後方への引張応力が生じた場合であっても、このような引張応力を、正対する第２補助被係止面等において受け止めることができる。このように、係止部等の係合で受け止めていた引張応力を、分散して補助係止部等でも受け止めることで、係止部の破損を回避し、嵌合部の拡径変形を規制して、電線カバーがコネクタハウジングから外れることを防止できる。
【００１５】
本明細書によって開示されるコネクタは、前記補助係止部および補助被係止部のうち、いずれか一方が係止爪、同他方が前記係止爪を挿入係止可能な係止孔である構成としてもよい。
【００１６】
このような構成によれば、例えば、係止爪の側面および前面を、第１補助係止面および第２補助係止面とし、係止孔の側縁面および前縁面を、第１補助被係止面および第２補助被係止面とすることができる。よって、第１補助係止面を備えた補助係止部と、第２補助係止面を備えた補助係止部とを別々に設ける必要がなく、同様に、第１補助被係止面を備えた補助被係止部と、第２補助係止面を備えた補助被係止部とを別々に設ける必要もない。よって、簡素な構成によって、確実に電線カバーがコネクタハウジングから外れることを防止できる。
【００１７】
本明細書によって開示されるコネクタは、前記電線カバーが、前記嵌合部の後面側に、前記電線が引き出される引出方向とは異なる導出方向に延出するように連設されて前記電線を屈曲させつつ導出する導出部を有し、前記切欠きが、前記嵌合部の軸方向および前記導出部の延出方向の全長に亘って連なるように設けられている構成としてもよい。
【００１８】
このような構成によれば、電線カバーを、コネクタハウジングの後方から圧着して係止させつつ、切欠きを通して電線を押し込むという簡易な作業によって、後付けできる。
【発明の効果】
【００１９】
本明細書によって開示される技術によれば、コネクタハウジングと、この後面に取付けられる電線カバーと、を備えたコネクタにおいて、電線カバーの外れを防止することができる。
【図面の簡単な説明】
【００２０】
【図１】実施形態に係る電線カバーの斜視図
【図２】電線カバーの右側面図
【図３】電線カバーの背面図
【図４】電線カバーの図２におけるＡ−Ａ線断面図
【図５】実施形態に係るコネクタハウジングの一部であるリテーナの右側面図
【図６】リテーナの背面図
【図７】リテーナの図５におけるＢ−Ｂ線断面図
【図８】電線カバーをリテーナに取り付けた状態の右側面図
【図９】電線カバーをリテーナに取り付けた状態の背面図
【図１０】電線カバーをリテーナに取り付けた状態の図８におけるＣ−Ｃ線断面図
【図１１】電線カバーをリテーナに取り付けた状態の図９におけるＤ−Ｄ線断面図
【図１２】電線カバーをリテーナに取付けた状態の平面図
【図１３】電線カバーをリテーナに取付けた状態の図１２におけるＥ−Ｅ線断面図
【図１４】実施形態に関連するコネクタの電線カバーの斜視図
【発明を実施するための形態】
【００２１】
＜実施形態＞
一実施形態について、図１から図１３を参照しつつ説明する。本実施形態に係るコネクタ１は、電気自動車やハイブリッド車に搭載される車両用コネクタであって、車載されたバッテリを充電する際に、図示しない充電コネクタが前面側から接続されるようになっている。コネクタ１は、高圧充電用のコネクタであって、内部には高圧で急速充電するための端子が収容されている。
コネクタ１は、コネクタハウジングと、コネクタハウジングの後面に取付けられる電線カバー６と、を備える。なお、以下の説明では、図１における上側を上、左手前側を前、右手前側を右とする（各図面に方向線を記載）。
【００２２】
まず、コネクタ１の電線カバー６について、図１から図４を参照しつつ説明する。
図１に概形を示すように、電線カバー６は、コネクタハウジングから後方に引き出された電線を内部に収容し、右方に屈曲させて導出するものである。
電線カバー６は、コネクタハウジング後面に取付けられる嵌合部６１と、右方に向けて延びる導出部７１とを有している。嵌合部６１は、前後方向に延びる軸線を有して、前方に開口し、後方に向かって縮径する有底の略円筒状に形成された壁部６２を備えており、この壁部６２の軸線Ｌ２に沿って、電線が引き出される。一方、導出部７１は、壁部６２の後面から右方に延びるように連設され、断面が前方に開口する略Ｕ字型をなすように形成された導出壁７２を備えている。図１に示すように、導出壁７２の前方曲げされた上下端部が壁部６２に沿って延出されることで、上下に位置する側縁６６が形成され、両側縁６６によって、壁部６２の右側面に切欠き６５が画成されている。両側縁６６は、図２に示すように、壁部６２の軸線Ｌ２に沿って配されており、切欠き６５は軸線Ｌ２に沿って画成されている。なお、各図面において、Ｌ２は、壁部６２およびこれが嵌合される後述する周壁３２の軸線を表している。また、両側縁６６同士を結んだ平面をＰ１とする。
【００２３】
嵌合部６１の壁部６２の前端縁６３からは、前端縁６３の周面に沿って全体が湾曲した形状をなす４片の被係止片８１が、前方に向けて突設されている。図３等にも示すように、被係止片８１は、壁部６２の前端縁６３に沿って等間隔をなすように離間的に配設されており、計４片の被係止片８１のうち右寄りの２片の間に、前述の切欠き６５が配される。図１および図４に示すように、被係止片８１は、前端縁６３を基端として片持ち状に形成されることで、径方向に撓み変形可能とされている。
被係止片８１の前寄りの部分には、後述する係止爪４２を挿入係止可能な略矩形状の係止孔８２（被係止部に相当）が形成され、係止孔８２の前縁８３が外周方向に突出されている。図１１等に示すように、前縁８３の後端面８３Ｂは、軸線Ｌ２に対して垂直な面をなすように形成されており、この後端面８３Ｂが被係止面とされて、図１１等に示すように、後述する係止爪４２の前面４２Ｂからなる係止面に係止される。
【００２４】
電線カバー６では、図１および図３に示すように、４片の被係止片８１のうち右寄りの位置に配される２片の間、壁部６２における切欠き６５の両側縁６６の前方に、全体がフラットな平板状をなし、平面Ｐ１に平行な板面を備えた２片の補助被係止片９１が形成されている（なお、本明細書においては、平面上にある直線はこの平面に平行であるとみなし、また平面は当該平面と平行であるとみなす）。図１および図２に示すように、補助被係止片９１は、切欠き６５の両側縁６６から連なるように形成されており、切欠き６５の中心線方向に向けて突出するとともに、前端縁６３から前方に向けても突出して、略矩形状をなす片持ち状に形成されている。これにより、補助被係止片９１は、前端部が径方向に撓み変形可能であると同時に、側縁６６を基軸とする多少の回動変形をも許容しうるものとされて、内部に収容するための電線を押込み易くなっている。
補助被係止片９１の前寄りの部分には、後述する補助係止爪５２を挿入係止可能な略矩形状の補助係止孔９２（補助被係止部に相当）が形成され、前縁９３が外周方向に突出されている。図４等に示すように、前縁９３の後端面９３Ｂは、軸線Ｌ２に対して垂直な面をなすように形成されており、この前縁９３の後端面９３Ｂが第２補助被係止面とされて、図１０等に示すように、後述する補助係止爪５２の前面５２Ｂからなる第２補助係止面に係止される。
また、図２等に示すように、補助係止孔９２を画成する前後方向に延びて上下に配される縁面９２Ａ、９２Ｃは、軸線Ｌ２と平行をなすように形成されている。また、図１３等に示すように、縁面９２Ａ、９２Ｃは、平面Ｐ１に対しては垂直をなすように形成されており、このうち、切欠き６５の中心線に近い側の縁を画成する内縁面９２Ａが、第１補助被係止面とされて、後述する補助係止爪５２の内面５２Ａからなる第１補助係止面に係止される。
【００２５】
上述のような電線カバー６は、コネクタハウジング後面に取付けられる。
コネクタ１のコネクタハウジングは、図示しないハウジング本体と、ハウジング本体の後面に嵌め込まれるリテーナ２と、を備えて構成されており、電線カバー６は、リテーナ２の後面に取付けられる。続いて、リテーナ２について、図５から図７を参照しつつ説明する。
【００２６】
リテーナ２は合成樹脂製であって、図５等に示すように、円筒形の外筒部２１の後面に電線引出部３１の円筒状の周壁３２が突設された外形をなしている。図７に示すように、外筒部２１の内方には、抜止板２２が備えられている。抜止板２２は、ハウジング本体に収容された端子等の後方への抜け止めとして機能するものであり、図６に一部が表されているように、抜止板２２の中央部におけるやや上寄りの位置に、複数の端子に接続された電線を後方に引き出すための複数の電線引出口３４が形成されている。なお、図６において、３４Aは信号用端子に接続された電線を引き出すための電線引出口、３４Bは充電用端子に接続された比較的径の大きな電線を引き出すための電線引出口を表している。図５に示すように、外筒部２１の前縁からは、４片のリテーナ取付片２３が、前方に延出するように形成されており、このリテーナ取付片２３を、ハウジング本体に設けられた図示しない被取付部に係合させることで、リテーナ２がハウジング本体の後面に固定されるようになっている。
【００２７】
図６等に示すように、リテーナ２の後面における中央部やや上寄りの位置には、前述の複数の電線引出口３４を包囲する円筒状の周壁３２が突設され、電線引出部３１が形成されている。この電線引出部３１の外周面３２Ｒ側に、前述の電線カバー６の壁部６２が嵌合される。本実施形態における周壁３２は、断面においてほぼ真円をなしている。
【００２８】
図５に示すように、周壁３２の外周面３２Ｒにおける前寄りの位置には、４片の係止片４１が、前後方向に延びるように突設されている。図６に示すように、４片の係止片４１は、前述の４片の被係止片８１に対応する位置に設けられ、外周面３２Ｒにおいて等間隔をなすように離間的に配設されている。図５に示すように、各係止片４１は、側面が後向きの片矢印状の概形をなすように形成されており、後端の矢尻部分が、前述の係止孔８２内に挿入係止可能な係止爪４２（係止部に相当）を形成している。図１１等に示すように、係止爪４２の前面４２Ｂは、周壁３２の軸線Ｌ２に対して垂直な面をなすように形成されており、前述の前縁８３の後端面８３Ｂ（被係止面）に係止する。
【００２９】
周壁３２の外周面３２Ｒには、さらに、４片の係止片４１のうち右寄りの位置に配される２片の間、前述の２片の補助被係止片９１と対応する位置に、２片の補助係止片５１が右方に向けて突設されている。図７等に示すように、各補助係止片５１は、側面が後向きの片矢印状の概形をなすように形成され、矢尻部分が後述する補助係止孔９２内に挿入係止可能な補助係止爪５２（補助係止部に相当）を形成している。図７等に示すように、補助係止爪５２の前面５２Ｂは、軸線Ｌ２に対して垂直な面をなすように形成されており、この面が第２補助係止面とされて、図１０等に示すように、前述の前縁９３の後端面９３Ｂからなる第２補助被係止面に係止する。
また、図５等に示すように、補助係止爪５２の前後方向に延びて上下に配される面５２Ａ、５２Ｂは、軸線Ｌ２に平行に設けられている。また、図１３等に示すように、面５２Ａ、５２Ｂは、平面Ｐ１に対して垂直をなすように形成されており、このうち、２片の補助係止片５１が互いに対向する側に位置する内面５２Ａが第１補助係止面とされて、前述の補助係止孔９２の内縁面９２Ａからなる第１補助係止面に係止される。
【００３０】
本実施形態は以上のような構成を備えたものであって、続いて電線カバー６のリテーナ２の後面への取付け方法について説明する。なお、図８から図１３は、リテーナ２の後面に電線カバー６を取り付けた状態を表している。
【００３１】
まず、ハウジング本体内の端子に接続された電線を、抜止板２２の電線引出口３４に前面側から挿し込んで、リテーナ２の後面側に引き出す。この状態で、リテーナ取付片２３により、リテーナ２をハウジング本体の後面に取付ける。次いで、リテーナ２の後面に電線カバー６を押し付ける。これにより、被係止片８１の前縁８３が係止爪４２、補助被係止片９１の前縁９３が補助係止爪５２に乗り上げて、嵌合部６１をやや拡径変形させると同時に、被係止片８１および補助被係止片９１が外周方向に撓み変形する。電線カバー６がさらに押し込まれて、前縁８３および前縁９３が係止爪４２および補助係止爪５２をそれぞれ乗り越えると、変形が回復されて、係止孔８２内に係止爪４２が、補助係止孔９２内に補助係止爪５２が挿入係止され、リテーナ２の後面に電線カバー６が固定される。
【００３２】
これにより、図８等に示されるように、電線カバー６に設けられた被係止片８１の前縁８３の後端面８３Ｂ（被係止面）が、係止爪４２の前面４２Ｂ（係止面）に係止される。同時に、補助被係止片９１の前縁９３の後端面９３Ｂ（第２補助被係止面）が、補助係止爪５２の前面５２Ｂ（第２補助係止面）に、補助係止孔９２の内縁面９２Ａ（第１補助被係止面）が、補助係止爪５２の内面５２Ａに、それぞれ係止される。
【００３３】
次いで、リテーナ２の後面側に引き出しておいた電線を、切欠き６５から壁部６２内に押し込んで、導出壁７２の前面に沿わせるようにして、必要に応じて図示しないタイバンド等で固定する。これにより、コネクタハウジングから後方に引き出された電線を保護しつつ右方に向けて導出するコネクタ１を得ることができる。
【００３４】
以上のように、図８、図９、図１１、図１２、および図１３に示すように、弧状に配設された係止爪４２および係止孔８２が係合されることで、電線カバー６のリテーナ２後面への嵌合がロックされる。さらに、本実施形態では、補助係止爪５２と補助係止孔９２とを設け、図８、図１０、図１２、および図１３に示すように、これらが同時に係合されるものとした。これにより、図１３等に示すように、側縁６６を結んだ平面Ｐ１に対して垂直な面をなし、かつ、図８等に示すように、壁部６２の軸線Ｌ２に平行となるように形成された補助係止孔９２の内縁面９２Ａ（第１補助被係止面）に、切欠き６５の逆側から補助係止爪５２の内面５２Ａ（第１補助係止面）が係止する。また、図１０等に示すように、軸線Ｌ２に対して垂直な面をなすように形成された前縁９３の後端面９３Ｂ（第２補助被係止面）に、補助係止爪５２の前面５２Ｂ（第２補助係止面）が係止する。
【００３５】
補助係止爪５２と補助係止孔９２との係合に基づく第１の効果は、以下のようである。電線カバー６に、嵌合部６１を拡径させるような変形応力が作用した場合、２つの補助被係止片９１は互いに離隔する方向に変位しようとする。しかしながら、本実施形態では、補助係止孔９２の内縁面９２Ａ（第１補助被係止面）が、このような方向に正対するように、補助係止爪５２の内面５２Ａ（第１補助係止面）に係止されることにより、補助被係止片９１の離隔方向への移動が規制される。この結果、嵌合部６１の拡径変形が抑制され、電線カバー６がリテーナ２から外れることを防止できる。
【００３６】
補助係止爪５２と補助係止孔９２との係合に基づく第２の効果は、以下のようである。電線カバー６を後方に付勢するような力が働いた場合、被係止片８１の前縁８３と同じく、補助被係止片９１の前縁９３が後方に変位しようとする。しかしながら、本実施形態では、前縁９３の後端面９３Ｂ（第２補助被係止面）に補助係止爪５２の前面５２Ｂ（第２補助係止面）が係止することにより、補助被係止片９１の後方への移動が規制されている。このように、係止爪４２と係止孔８２の係合のみで受け止めていた引張応力を、補助係止爪５２と補助係止孔９２でも受け止めることで、係止爪４２等の破損を回避し、壁部６２の拡径変形を規制して、電線カバー６がリテーナ２から外れることを防止できる。
【００３７】
また、本実施形態では、図８等に示すように、補助係止爪５２に、平面Ｐ１に垂直かつ軸線Ｌ２に平行な内面５２Ａ（第１補助係止面）と、軸線Ｌ２に垂直な前面５２Ｂ（第２補助係止面）とを兼備させる一方、補助係止孔９２が、内縁面９２Ａ（第1補助被係止面）と、前縁９３の後端面９３Ｂ（第２補助被係止面）とを備えて画成されるものとした。よって、一の構造で２方向に働く力に対抗できるものとなっており、簡素な構成で、確実に電線カバー６のリテーナ２から外れ防止が図られている。
【００３８】
さらに、本実施形態に係る電線カバー６は、導出壁７２前面の開口に連通する切欠き６５を有しているため、リテーナ２の後方から真直ぐに押し込み係止させた後に、切欠き６５から電線を内部に押し込むことで、コネクタハウジングの後面に後付けできる。
また、本実施形態では、係止片４１および補助係止片５１を、いずれも後向きの片矢印状の概形をなすものとして、後端に設けられた係止爪４２の前面４２Ｂおよび補助係止爪５２の前面５２Ｂに、被係止片８１の前縁８３の後端面８３Ｂおよび補助被係止片９１の前縁９３の後端面９３Ｂが係止されるものとした。よって、電線カバー６を、リテーナ２の後方から押し込むというワンアクションで、上記した全ての係合を実現できるものとなっており、極めて作業性に優れたものとなっている。
【００３９】
なお、本実施形態に係るコネクタは、車両用コネクタであって、取り付け箇所に空間的な余裕がなく、電線を屈曲させる必要があることが多い。また、本実施形態に係る車両用コネクタは、急速充電用のものであって、後面から引き出される電線は、比較的径が大きく容易に屈曲することができない。そのため、電線引出口３４と導出壁７２との間隔を大きく取らざるを得ず、電線カバー６に様々な方向からの力を受けやすい構造となっている。よって、このようなコネクタについては、本技術が特に有用といえる。
【００４０】
また、本実施形態では、電線カバー６を取り付けるための構造を、ハウジング本体ではなくリテーナ２に設ける構成とした。このため、様々な構造の電線カバー６に対して、リテーナ２を設計変更するだけで容易に対応できる。
【００４１】
＜他の実施形態＞
本明細書によって開示される技術は上記記述及び図面によって説明した実施形態に限定されるものではなく、例えば次のような種々の態様も含まれる。
【００４２】
（１）電線カバー６は、電線を任意の角度に屈曲させるものでよく、電線を屈曲させずに導出する（電線引出方向と電線導出方向とが一致する）ものであってもよい。また、嵌合部の後方において、２段階に導出方向を変化させたものであってもよい。例えば、コネクタハウジングから引き出された電線を、嵌合部の後方において下方に屈曲させた後、右方に向けて再度屈曲して導出するものであってもよい。電線の導出方向は、電線カバーにおいて切欠きが形成される方向に関わらず、任意に設定できる。
【００４３】
（２）係止片４１は、複数片が離間的に設けられるものに限定されない。例えば、略Ｃ字形をなす１片の係止片が設けられた構成のものについても、本技術を適用しうる。
【００４４】
（３）補助係止部は、係止部と一体的に形成されていてもよい。例えば、電線引出部の外周面に沿って設けられた係止片の側端に、平面Ｐ１に垂直かつ軸線Ｌ２に平行な面（第1補助係止面）を備えるような突部を設け、嵌合部の壁部に形成される被係止部に、第１補助係止面に係止する第１補助被係止面を兼備させるような構成としてもよい。
【符号の説明】
【００４５】
１…コネクタ
２…リテーナ（コネクタハウジングの一部）
６…電線カバー
３１…電線引出部
３２…周壁
３２Ｒ…外周面
４２…係止爪（係止部）
４２Ｂ…前面（係止面）
５２…補助係止爪（補助係止部）
５２Ａ…内面（第１補助係止面）
５２Ｂ…前面（第２補助係止面）
６１…嵌合部
６２…壁部
６５…切欠き
６６…側縁
７１…導出部
８２…係止孔（被係止部）
８３…前縁
８３Ｂ…後端面（被係止面）
９２…補助係止孔（補助被係止部）
９２Ａ…内縁面（第１補助被係止面）
９３…前縁
９３Ｂ…後端面（第２補助被係止面）
Ｐ１…平面
Ｌ２…軸線
【図１】
2016219308.tif 000003
【図２】
2016219308.tif 000004
【図３】
2016219308.tif 000005
【図４】
2016219308.tif 000006
【図５】
2016219308.tif 000007
【図６】
2016219308.tif 000008
【図７】
2016219308.tif 000009
【図８】
2016219308.tif 000010
【図９】
2016219308.tif 000011
【図１０】
2016219308.tif 000012
【図１１】
2016219308.tif 000013
【図１２】
2016219308.tif 000014
【図１３】
2016219308.tif 000015
【図１４】
2016219308.tif 000016